(57)【要約】【課題】ユーザの負担を軽減しつつ、物品に貼付された情報記録媒体を廃棄する際における情報の秘匿性を確保可能な加工装置等を提供すること。【解決手段】管理用端末装置４０に入力された情報に基づき、配送伝票等の情報記録媒体３０にラベルプリンタ１０が、配送先等の情報を印刷し、当該印刷済の情報記録媒体３０に対し、加工装置２０にて情報を構成する文字３２を分断する切り込みを施すことにより、情報積層体３１を一体的に形成された除去領域Ｒと、残存領域Ｓと、に切り分ける。【選択図】図１
2017015992.tif 000002
【特許請求の範囲】
【請求項１】
第１の接着層と、前記第１の接着層上に配置され、所定の情報が表示形成される情報記録層と、を少なくとも有する情報積層体が、所定の支持体上に剥離可能に形成された情報記録媒体を加工するための加工装置であって、
前記情報記録媒体の上面から前記情報記録層までの厚みよりも大きな切り込み量を設定する設定手段と、
前記設定された切り込み量に基づいて、予め定められた形態の切り込み加工であって、少なくとも第１の領域と、当該第１領域に隣接する第２の領域と、によって前記情報記録層を分断し、前記第１の領域及び第２の領域のいずれか一方を除去領域として前記第１の接着層から一体的に剥離可能にする切り込み加工を施す加工手段と、
を備え、
前記情報記録層に表示形成される情報が前記第１の領域及び前記第２の領域に跨がって形成されていることを特徴とする加工装置。
【請求項２】
請求項１に記載の加工装置において、
前記加工手段が、
前記予め定められた切り込み加工として、前記情報積層体にスリット線状の切り込みを施し、前記スリット線により区画される前記第１の領域と、当該第１の領域を相互に接続する前記第２の領域と、を含む前記除去領域を作成する、加工装置。
【請求項３】
請求項１又は２に記載の加工装置において、
前記加工手段が、
前記情報積層体における前記情報の配置方向に対して、所定の角度を有する切り込みを施して前記第１の領域及び前記第２の領域に跨がって表示形成されている前記情報を表示形成方向に対して斜めに分断する、加工装置。
【請求項４】
請求項１〜３のいずれか１項に記載の加工装置において、
前記情報積層体が、
前記情報記録層の配置される面と異なる面上に第２の接着層を介して基材が形成されており、
前記設定手段が、
前記情報記録媒体の上面から前記基材の厚さ未満までの切り込み量を設定し、
前記加工手段が、
当該切り込み量にて切り込み加工を施す、加工装置。
【請求項５】
請求項１〜４のいずれか１項に記載の加工装置において、
前記加工手段が、
予め定められたパターン状の打ち抜きを行うことにより、前記情報記録層を前記第１の領域と、第２の領域と、に分断させる、加工装置。
【請求項６】
請求項１〜５のいずれか１項に記載の加工装置において、
前記第１の領域に該当する接着層の接着力が、前記第２の領域に該当する接着層の接着力と異なる、加工装置。
【請求項７】
請求項１〜６のいずれか１項に記載の加工装置において、
前記情報記録層上に、透明フィルムを設置する設置手段をさらに有する、加工装置。
【請求項８】
前記情報記録層に情報を表示形成する情報記録装置と、
請求項１〜７のいずれかに記載の加工装置と、を有し、前記情報記録装置によって情報の表示形成された前記情報記録媒体に切り込み加工を施す、情報記録媒体作成システム。
【発明の詳細な説明】
【技術分野】
【０００１】
本発明は、宛名ラベル、配送伝票等に用いられる、機密性の高い情報が表示形成された情報記録媒体を加工する加工装置、及び、当該情報記録媒体を作成する情報記録媒体作成システムに関する。
【背景技術】
【０００２】
従来、郵便、宅配便等により物品（例えば、郵便葉書、封筒、配送品及びその梱包等）を送付する場合には、宛先（配送先）の住所、宛先ユーザの氏名、郵便番号、電話番号及び顧客番号等を含む個人情報をプリント出力したシールタイプのラベルや配送伝票の情報記録媒体が、送付対象物品に貼付されている。
【０００３】
また、この種の情報記録媒体には、ユーザの個人情報の他に、配送状況の管理等を行うため機械読取り用のバーコード等が印刷される場合もある。
【０００４】
この情報記録媒体に印刷等により表示形成される個人情報、又は、バーコードなどの情報は、第３者に取得された場合に、不正利用される可能性があるため、情報の機密性を保持し、かつ、第３者の不正利用を確実に防止することが必要となる。
【０００５】
このため、最近では、ラベル又は配送伝票廃棄時、又は、情報記録媒体の貼付された物品を廃棄する際に、情報記録媒体を物品から剥離除去するとともに、当該情報記録媒体（ラベル等）をシュレッダー等により裁断して、記載された情報を判別不能な状態にして廃棄することが通例となっている。
【０００６】
しかしながら、情報記録媒体であるラベル等は、裏面の接着層の接着力によっては、綺麗に剥離できず、剥離の際にラベル等の一部が物品側（すなわち、被着体側）に残存し、その残存部分から情報を取得されてしまう可能性がある。
【０００７】
また、剥離後のラベル等を裁断するには、手間がかかる上、材質によっては裁断しにくい場合もある。さらに、当該裁断ができたとしても、裁断の大きさによっては情報が判別可能になる可能性があり、個人情報等の秘匿性を確保することが難しい場合もある。
【０００８】
そこで、近年では、印刷装置内に裁断装置を内蔵するとともに、情報の印刷領域を特定し、当該印刷領域に合わせて断細巾を制御し、切りこみ（ミシン目）を入れた後に出力する印刷装置が提案されている（例えば、特許文献１）。
【０００９】
また、個人情報の印刷部位に対して、予めミシン目等による切れ込み線を入れ、容易に裁断可能な圧着葉書を製造する方法も提案されている（例えば、特許文献２）。
【００１０】
そして、これらの方法を用いることにより、記録媒体に記録された個人情報等をユーザが簡単に手で裁断することが可能となる。
【先行技術文献】
【特許文献】
【００１１】
【特許文献１】特開２０１０−１６７４７号公報
【特許文献２】特開２０１１−６７９６９号公報
【発明の概要】
【発明が解決しようとする課題】
【００１２】
しかしながら、上記特許文献１及び２に記載の方法においては、印刷物（すなわち、個人情報などの使用後に破棄を所望する情報が記録された情報記録媒体）に直接切り込みを入れるため、シール等の接着層を有する情報記録媒体に適用した場合には、物品から情報記録媒体を剥離すると同時に、個人情報等を裁断することが難しく、剥離時に情報記録媒体が破れて、物品に個人情報等が判別可能に残存してしまう可能性が高い。
【００１３】
したがって、上記特許文献１及び２に記載の方法においては、物品から情報記録媒体を剥離することが容易でなく、情報記録媒体を剥離し、除去する際におけるユーザの負担を削減することが難しいとともに、物品から情報記録媒体を容易に剥離できないことから、剥離失敗や当該剥離自体の煩わしさによる剥離を諦めることによって、情報の秘匿性を確保できない場合も多い。
【００１４】
本発明は、上述の事情に鑑みてなされたものであって、その目的は、ユーザの負担を軽減しつつ、物品に貼付された情報記録媒体を廃棄する際における情報の秘匿性を確保することが可能な加工装置等を提供することである。
【課題を解決するための手段】
【００１５】
上述した課題を解決するため本発明に係る一実施形態の加工装置は、第１の接着層と、前記第１の接着層上に配置され、所定の情報が表示形成される情報記録層と、を少なくとも有する情報積層体が、所定の支持体上に剥離可能に形成された情報記録媒体を加工するための加工装置であって、前記情報記録媒体の上面から前記情報記録層までの厚みよりも大きな切り込み量を設定する設定手段と、前記設定された切り込み量に基づいて、予め定められた形態の切り込み加工であって、少なくとも第１の領域と、当該第１領域に隣接する第２の領域と、によって前記情報記録層を分断し、前記第１の領域及び第２の領域のいずれか一方を除去領域として前記第１の接着層から一体的に剥離可能にする切り込み加工を施す加工手段と、を備え、前記情報記録層に表示形成される情報が前記第１の領域及び前記第２の領域に跨がって形成されていることを特徴とする構成を有している。
【００１６】
この構成により、本発明に係る一実施形態の加工装置は、例えば、シールタイプの宛名ラベル又は配送伝票など、台紙等の支持体上に第１の接着層及び情報記録層が積層形成され、当該情報記録層上に情報が表示形成された情報記録媒体に対して、情報の表示領域に跨がる切り込みを施し、第１の領域及び第２の領域によって情報記録層を分断すること可能な情報記録媒体を提供することができる。
【００１７】
したがって、本発明に係る一実施形態の加工装置は、情報記録媒体が貼り付けられた物品から情報積層体を剥離すると、当該除去領域を容易に、かつ、一体的に、物品から剥離することができ、ユーザの負担を軽減することが可能な情報記録媒体を提供することができる。
【発明の効果】
【００１８】
本発明の加工装置などは、ユーザの負担を軽減しつつ、物品に貼付された情報記録媒体を廃棄する際における情報の秘匿性を確保することができる。
【図面の簡単な説明】
【００１９】
【図１】本発明に係る情報記録媒体作成システムの一実施形態の構成を示すシステム構成図である。
【図２】一実施形態における情報記録媒体の構造の一例を示す平面図及び断面図である。
【図３】一実施形態における切り込み加工を施した場合の情報記録媒体の断面図の一例である。
【図４】一実施形態において、物品に情報積層体を貼付した状態、物品から除去領域Ｒを剥離した状態、及び、剥離後に物品に残存する残存領域の状態の各状態を示す図である。
【図５】一実施形態において、物品に貼付された情報積層体を剥離する際における情報積層体の変化状態を示す断面図である。
【図６】一実施形態における加工装置の構成を示すブロック図である。
【図７】一実施形態の記録媒体管理データベースに記録されるデータの一例を示す図である。
【図８】一実施形態における加工態様管理データベースに記録されるデータの一例を示す図である。
【図９】一実施形態における加工装置において実行される加工態様の一例（その１）を示す図である。
【図１０】一実施形態における加工装置において実行される加工態様の一例（その２）を示す図である。
【図１１】一実施形態における加工装置において実行される加工態様の一例（その３）を示す図である。
【図１２】一実施形態の加工装置において実行される処理を示すフローチャートである。
【図１３】一実施形態の加工装置に対する変形例を説明するための図（その１）である。
【図１４】一実施形態の加工装置に対する変形例を説明するための図（その２）である。
【図１５】一実施形態の加工装置に対する変形例を説明するための図（その３）である。
【図１６】一実施形態の加工装置に対する変形例を説明するための図（その４）である。
【発明を実施するための形態】
【００２０】
以下、本発明に係る実施形態について、図面を参照しながら説明する。以下の実施形態は、個人情報、その他個人を特定可能な情報が印刷等の手法により表示形成されたシールタイプの宛名ラベル、配送伝票等の情報記録媒体を作成（製造）するためのものである。ただし、本発明は、その技術的思想を含む範囲で以下の実施形態に限定されない。
【００２１】
［１］情報記録媒体作成システム
まず、図１を用いて本実施形態における情報記録媒体作成システム１の構成及び概要について説明する。なお、図１は、本実施形態における情報記録媒体作成システム１の構成を示すシステム構成図である。
【００２２】
本実施形態の情報記録媒体作成システム１は、管理者によって指示された情報（以下、「加工指示情報」という。）に基づいて、予め定められた形態の切り込み加を、物品Ｏの配送先の情報（住所、氏名等）が印刷された所定の支持体上に剥離可能に形成された情報記録媒体３０に施すシステムである。
【００２３】
特に、情報記録媒体作成システム１は、少なくとも第１領域と、当該第１領域に隣接する第２領域と、によって形成された情報記録媒体３０を、それぞれの領域によって分断し、第１領域及び第２領域のいずれか一方を除去領域Ｒとして一体的に剥離可能にする切り込み加工を施す構成を有している。
【００２４】
そして、情報記録媒体作成システム１は、このような構成を実現するために、情報記録媒体３０に印刷を施すラベルプリンタ１０と、印刷済の情報記録媒体３０に対して所定の加工を施す加工装置２０と、システム管理者（例えば、物品Ｏの発送人等）によって利用される管理用端末装置４０と、ネットワーク５０と、を有している。
【００２５】
なお、例えば、本実施形態のラベルプリンタ１０は、管理用端末装置４０と連動して本発明の情報記録装置を構成するとともに、加工装置２０は、管理用端末装置４０と連動して本発明の加工装置を構成する。
【００２６】
ラベルプリンタ１０は、インクジェット式又はレーザー式などの所定の形式のプリンタ、又は、複写機などの印刷装置であり、管理用端末装置４０による制御の下、管理用端末装置４０から供給される印刷用の画像情報に基づき、予めセットされた情報記録媒体３０に文字、数字、記号、模様の少なくとも１以上を含む所定の情報を印刷する。
【００２７】
なお、ラベルプリンタ１０の具体的な構成等については、従来のプリンタ、複写機等と同様であるため、詳細は省略する。
【００２８】
加工装置２０は、投入された情報が印刷済の情報記録媒体３０に対して切り込み加工を施す装置であり、厚さ等の異なる複数種類の情報記録媒体３０に対する加工が可能な構成を有している。
【００２９】
特に、加工装置２０は、
（１）第１の領域及び第２の領域に跨がって文字、数字、記号、模様の少なくとも１以上を含む所定の情報（以下、単に「文字」ともいう。）３２が表示形成されている情報記録媒体３０の上面から所定の切り込み量を設定し、
（２）設定した切り込み量に基づいて、予め定められた形態の切り込み加工であって、少なくとも第１の領域と、当該第１領域に隣接する第２の領域と、によって情報記録媒体３０の所定の情報が表示形成されている上面を分断し、第１の領域及び第２の領域のいずれか一方を除去領域として情報記録媒体３０から一体的に剥離可能にする切り込み加工を施す、
構成を有している。なお、本実施形態の加工装置２０の詳細については、後述する。
【００３０】
管理用端末装置４０は、ＰＣ（パーソナルコンピュータ）、タブレット型情報端末等のコンピュータシステムであり、ラベルプリンタ１０及び加工装置２０と、ネットワーク５０を介して接続し、データの授受を行う構成を有している。
【００３１】
そして、管理用端末装置４０は、システム管理者によって入力された物品Ｏの配送先等の情報を取得し、配送先等の情報が入力されると、物品Ｏの配送を管理するための二次元バーコードを生成し、入力情報に対応する文字３２及びバーコードを含む印刷用の画像情報を生成し、ラベルプリンタ１０に出力する。
【００３２】
また、管理用端末装置４０は、システム管理者によって指定されたフォント種別及びフォトサイズの文字３２によって生成した配送先の情報をラベルプリンタ１０に出力する構成を有している。
【００３３】
さらに、管理用端末装置４０は、システム管理者によって入力された情報記録媒体３０に施すべき切り込み加工の加工態様の指示を取得すると、加工態様を指定した加工指示情報とともに、配送先の情報に含まれる文字３２のフォント種別及びフォントサイズ（Ｑ数）等の情報を加工装置２０に出力し、加工装置２０における加工態様等を制御する構成を有している。
【００３４】
ネットワーク５０は、例えば、有線若しくは無線のＩＰ（Ｉｎｔｅｒｎｅｔ  Ｐｒｏｔｏｃｏｌ）ネットワーク、又は、携帯電話網を含む公衆電話回線網その他のネットワークによって構成されている。
【００３５】
このような構成により、情報記録媒体作成システム１は、例えば、シールタイプの宛名ラベル又は配送伝票など、台紙等の所定の情報が表示形成された情報記録媒体３０に対して、当該情報の表示領域に跨がる切り込みを施し、第１領域及び第２領域によって当該情報を分断すること可能な情報記録媒体３０を提供することができるようになっている。
【００３６】
そして、情報記録媒体作成システム１は、情報記録媒体３０が貼り付けられた物品Ｏから当該情報が形成された部分を剥離すると、当該除去領域を容易に、かつ、一体的に、物品Ｏから剥離することができるとともに、ユーザの負担を軽減することが可能な情報記録媒体３０を提供することができるようになっている。
【００３７】
［２］情報記録媒体
次に、図２〜図５を用いて本実施形態において生成される情報記録媒体３０及び加工装置２０により加工がされた情報積層体３１について説明する。
【００３８】
なお、図２は、本実施形態の情報記録媒体３０の構造の一例を示す平面図及び断面図であり、図３は、物品Ｏに情報積層体３１を貼付した状態、物品Ｏから除去領域Ｒの状態、及び、剥離後に物品Ｏに残存する残存領域Ｓの状態の一例を示す図である。
【００３９】
また、図４は、本実施形態において切り込み加工を施した場合の情報記録媒体３０の断面図の一例であり、図５は、物品Ｏに貼付された情報積層体３１を剥離する際における情報積層体３１の変化状態を示す断面図である。
【００４０】
［２．１］情報記録媒体
情報記録媒体３０は、図２及び図３に例示するように、台紙Ｂ３ｅ上に形成された文字３２が印刷される情報記録層３ａと、２つの領域によって分断する際に用いる接着層Ａ３ｂと、情報記録層３ａの支持体として機能する台紙Ａ３ｃと、物品Ｏに接着する際に用いる接着層Ｂ３ｄと、上面から順次積層されて構成される情報積層体３１を有し、台紙Ｂ３ｅから情報積層体３１を剥離することにより接着層Ｂ３ｄを介して各種の物品Ｏ（例えば、葉書、封筒、梱包用ダンボール等）に貼付可能に構成されている。
【００４１】
また、情報記録媒体３０は、図２（Ｂ）に示すように、上記の切り込み量によって切り込み加工が施されると、情報記録層３ａを分断する第１領域３３と、当該第１領域３３に隣接する第２領域３４とが形成される。
【００４２】
すなわち、本実施形態においては、情報記録媒体３０は、当該切り込み加工が施されると、第１領域３３及び第２領域３４のいずれか一方を除去領域Ｒとして接着層Ａ３ｂから一体的に剥離可能に構成される。
【００４３】
この構成により、図３（Ａ）に示すように、接着層Ｂ３ｄから上の層（すなわち、情報積層体３１）は、台紙Ｂ３ｅから剥離されると、接着層Ｂ３ｄによって物品Ｏに貼付できるようになっており、図３（Ｂ）及び（Ｃ）に示すように、物品Ｏから剥離する場合には、台紙Ａ３ｃよりも上の層（すなわち、情報記録層３ａ及び接着層Ａ３ｂ）を台紙Ａ３ｃから剥離することにより、第１領域３３のみを剥離し（第２領域３４を残して）、当該物品Ｏを廃棄できるようになっている。
【００４４】
なお、図２（Ｂ）においては、切り込み加工は台紙Ａ３ｃまで施されているが、情報記録層３ａを貫通していればよい。また、例えば、本実施形態の台紙Ａ３ｃは、本発明の基材を構成する。
【００４５】
一方、情報積層体３１の各部を構成する材質については、任意であり、情報記録層３ａの材質としては、例えば、一般にラベルや伝票用紙に用いられる紙の他に、ＰＥ（ポリエチレン）ＰＥＴ（ポリエチレンテレフタラート）等の樹脂フィルムを用いることができる。
【００４６】
また、接着層Ａ３ｂ及び接着層Ｂ３ｄの材質としては、例えば、天然ゴム、エステル化天然ゴム、スチレンブタジエンゴム（ＳＢＲ）、クロロプレンゴム、ポリ酢酸ビニル、ポリメチルメタクリレート（ＰＭＭＡ）、及びそれらのエマルジョン等、ガラス転移点が低く、べたつき感（タック感）強い樹脂を用いることにより、接着層Ａ３ｂ及び接着層Ｂ３ｄに再剥離性を持たせることが可能となる。
【００４７】
なお、情報記録層３ａに文字３２などの情報を印刷する際に用いるインクとしては、一般にラベルや配送帳票等に用いられる、顔料や染料等の着色剤及びバインダ樹脂を含む印刷用インクを用いることができる。
【００４８】
［２．２］加工済の情報記録媒体及び情報積層体
加工済の情報記録媒体３０においては、上述の図２及び図３に例示するように、情報印刷領域ＰＡの全域を少なくとも含む加工領域において、情報記録層３ａ上に印刷されて表示形成された各文字３２を分断するようにスリット状の切り込みが実行されている。特に、この切り込みは、図２に示すように、情報記録層３ａの表面から少なくとも当該情報記録層３ａを貫通し、台紙Ａ３ｃを貫通しないような切り込み量が設定されている。
【００４９】
そして、加工済の情報記録媒体３０においては、図４に示すように、台紙Ａ３ｃからの除去領域Ｒの剥離を容易化するために、情報記録層３ａの表面から台紙Ａ３ｃの表面まで切り込みが形成されている。特に、加工済の情報記録媒体３０には、各スリット上の切り込み（以下、「スリット」又は「スリット線」ともいう。）によって区画される各領域として、除去領域Ｒと、残存領域Ｓと、が形成される。
【００５０】
除去領域Ｒと残存領域Ｓは、隣接しつつ交互に除去領域Ｒ１、残存領域Ｓ１、除去領域Ｒ２及び残存領域Ｓ２というように、連続して配置されて形成されており、除去領域Ｒは、支持部ＳＡにより、相互に接続され、一体的に形成されているとともに（櫛形形状）、残存領域Ｓについても、相互に接続された構成（櫛形形状）になっている。
【００５１】
また、加工済の情報積層体３１が物品Ｏから剥離される場合には、図３（Ａ）に例示する状態において、第１領域３３（すなわち、除去領域Ｒ）を剥がしシロＭに基づいて剥離すると、図３（Ｂ）及び（Ｃ）に示すように、支持部ＳＡと一体的に除去領域Ｒ（除去領域Ｒに対応する情報記録層３ａ及び接着層Ａ３ｂ）が剥離され、物品Ｏ上には、（１）接着層Ｂ３ｄと、（２）台紙Ａ３ｃと、（３）残存領域Ｓに対応する情報記録層３ａ及び接着層Ａ３ｂと、が残存することになる。
【００５２】
したがって、本実施形態の加工装置２０によって加工された情報記録媒体３０は、物品Ｏに貼付された情報積層体３１から、剥がしシロＭを把持して、容易に除去領域Ｒを一体的に除去することができるので、剥離に関するコツを必要とすることなく、剥離を容易化して、ユーザの負担を軽減することができるようになっている。
【００５３】
特に、図５（Ａ）及び（Ｂ）に示すように、除去領域Ｒ及び残存領域Ｓによって文字３２などを分断し、除去領域Ｒに残存する文字３２の一部、又は、残存領域Ｓに残存する文字３２の一部のみによっては、情報の内容を判別不能にすることができるので、情報の秘匿性を確保することができるようになっている。
【００５４】
［３］加工装置
次に、図６〜図８を用いて本実施形態の加工装置２０の構成について説明する。なお、図６は、本実施形態の加工装置２０の構成を示すブロック図であり、図７は、本実施形態の記録媒体管理データベース（以下、データベースを「ＤＢ」という。）２４１に記録されるデータの一例を示す図である。また、図８は、本実施形態の加工態様管理ＤＢ２４２に記録されるデータの一例を示す図である。
【００５５】
本実施形態の加工装置２０は、図６に示すように、ラベルプリンタ１０により情報が印刷された情報記録媒体３０を投入するための記録媒体投入部２１０と、切り込み加工を実行する記録媒体加工部２２０と、切り込み加工された情報記録媒体３０が排出される記録媒体排出部２３０と、を有している。
【００５６】
また、本実施形態の加工装置２０は、各種の必要なデータが記録されている記録装置２４０と、管理用端末装置４０に通信接続されるＩ／Ｏインターフェース部２５０と、ＲＯＭ／ＲＡＭ２６０と、当該加工装置２０の全体を管理する管理制御部２７０と、切り込み加工を行うための各種の設定を行う設定処理部２８０と、を有している。
【００５７】
なお、本実施形態においては、各部はバスＢによって相互接続されているとともに、記録媒体投入部２１０、記録媒体加工部２２０及び記録媒体排出部２３０は、情報記録媒体３０を搬送するベルト及びローラ等により物理的に接続されている。
【００５８】
また、例えば、記録媒体加工部２２０は、本発明の加工手段を構成し、設定処理部２８０は、記録装置２４０と連動して、本発明の設定手段を構成する。
【００５９】
記録媒体投入部２１０は、ＡＤＦ（Ａｕｔｏ  Ｄｏｃｕｍｅｎｔ  Ｆｅｅｄｅｒ）等のシートフィーダー、又は、手差し型のシート投入口であり、投入された情報記録媒体３０を搬送用ローラ及びベルト等を用いて、順次、記録媒体加工部２２０に供給する。
【００６０】
また、この記録媒体投入部２１０には、赤外線センサなどの投入された情報記録媒体３０の厚さを自動測定する厚さセンサと、情報記録媒体３０の上面に表示形成された情報を読み取るためのイメージスキャナと、が設けられており、厚さセンサからの信号及びスキャナによる読み取りイメージに対応するデータを設定処理部２８０に供給する。
【００６１】
記録媒体加工部２２０は、設定処理部２８０により設定された加工態様及び切り込み量に基づいて、記録媒体投入部２１０から供給される情報記録媒体３０に対して、所定の態様の切り込み加工を施して記録媒体排出部２３０に供給する。
【００６２】
特に、記録媒体加工部２２０は、上記の切り込み加工を実現するため、図示しない一本刃若しくは複数刃の刃物、ＣＯ２レーザー、平板刃、パンチング刃又はローラ刃が設けられているとともに、各加工態様に対応する切り込みを実現するため、図示しない、支持台座及び搬送ローラ、搬送ベルト等が設けられており、後述するようなＣｕｔＡ〜ＣｕｔＦの各々に対応する加工を実行する。
【００６３】
また、記録媒体加工部２２０には、切り込み量を制御するため、刃物に圧力を加えるアクチュエータの他に、切り込み量を検出するために、刃物にかかる圧力を検出するための圧力センサ、圧力センサの出力値に応じて利用する刃物に加える圧力を調節するアクチュエータ制御回路、ＣＯ２レーザーの出力値を制御するためのレーザー出力制御回路、及び、切り込み量が設定値を超えないようにするためのストッパなどが内蔵されている。
【００６４】
記録媒体排出部２３０は、記録媒体加工部２２０と搬送用ベルトなどにより、物理的に接続され、加工済の情報記録媒体３０をシステム管理者によって取得可能に排出する。
【００６５】
記録装置２４０は、ＨＤＤ（Ｈａｒｄ  Ｄｉｓｃ  Ｄｒｉｖｅ）又はＳＳＤ（Ｓｏｌｉｄ  Ｓｔａｔｅ  Ｄｒｉｖｅ）により構成され、その記録領域内に少なくとも、記録媒体管理データベース（以下、「ＤＢ」と略す。）２４１と、加工態様管理ＤＢ２４２と、を有している。
【００６６】
記録媒体管理ＤＢ２４１は、加工装置２０により加工可能な各種の情報記録媒体３０を管理するための情報がデータとして記録されるＤＢである。例えば、記録媒体管理ＤＢ２４１は、図７に示すように、
（１）各情報記録媒体３０種別を識別するための記録媒体ＩＤと、
（２）当該情報記録媒体３０の媒体種別を示す情報と、
（３）情報記録層３ａの厚さと、
（４）接着層Ａ３ｂの厚さと、
（５）台紙Ａ３ｃの厚さと、
（６）接着層Ｂ３ｄの厚さと、
（７）台紙Ｂ３ｅの厚さと、
（８）情報記録媒体３０のトータル厚さと、
（９）設定すべき切り込み量と、
を示す情報が記録されている。
【００６７】
例えば、図７に例示する場合には、「ＭＭ０１」の情報記録媒体３０が、媒体種別「紙シールラベル１」であり、情報記録層３ａ、接着層Ａ３ｂ、台紙Ａ３ｃ、接着層Ｂ３ｄ及び台紙Ｂ３ｅの各々に対応する厚さが、「１００μｍ」、「１００μｍ」、「０．１ｍｍ」、「２００μｍ」、及び、「０．３ｍｍ」であること、並びに、トータルの厚さが「８００μｍ」であることが示されている。
【００６８】
また、図７には、ＭＭ０１の情報記録媒体３０に切り込み加工を施す場合には、「１００〜２５０μｍ」の切り込み量にて切り込み加工を施す必要がある旨を示す情報が記録された状態であることが示されている。
【００６９】
加工態様管理ＤＢ２４２は、加工装置２０において情報記録媒体３０に施す加工態様を管理するための情報に対応するデータが記録されるＤＢである。例えば、加工態様管理ＤＢ２４２には、図８に示すように、加工態様毎に、当該加工態様にて用いる利用刃と、切り込み方法に関する情報が記録される。
【００７０】
例えば、図８に例示する場合には、加工態様「ＣｕｔＡ〜ＣｕｔＦ」において、「一本刃、複数刃」等を利用して「スリット連続切り込み」加工等を施す旨の情報が記録された場合の情報記録例が示されている。
【００７１】
Ｉ／Ｏインターフェース部２５０は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ、ａｃ、ｂ、ｇ及びｎ等の有線又は無線のネットワーク用のインターフェースであり、有線又は無線により、管理用端末装置４０とネットワーク５０を介してデータの授受を行う。
【００７２】
例えば、本実施形態においてＩ／Ｏインターフェース部２５０は、管理用端末装置４０を用いてシステム管理者が指定した加工態様を指定した加工指示及びフォントに関する情報を受信して、設定処理部２８０に供給する。
【００７３】
なお、本実施形態のＩ／Ｏインターフェース部２５０は、ＵＳＢ（Ｕｎｉｖｅｒｓａｌ  ＳＡｒｉａｌ  Ｂｕｓ）などのバス接続するためのインターフェースであってもよい。
【００７４】
ＲＯＭ／ＲＡＭ２６０には、加工装置２０の駆動に必要な各種のプログラムが記録されている。また、ＲＯＭ／ＲＡＭ２６０は、管理制御部２７や設定処理部２８０が各種の処理を実行する際のワークエリアとして用いられる。
【００７５】
管理制御部２７０は、主に中央演算処理装置（ＣＰＵ）によって構成され、プログラムを実行することによって、加工装置２０の各部を統合制御する。
【００７６】
設定処理部２８０は、管理制御部２７０による制御の下、アプリケーションを実行することにより、情報記録媒体３０の厚さを特定する厚さ特定部２８１と、情報記録媒体３０に印刷されている文字３２の印刷領域を特定する印刷領域特定部２８２と、加工領域を決定する加工領域特定部２８３と、加工態様を決定する加工態様決定部２８４と、切り込み量を決定する切り込み量設定部２８５と、を実現する。
【００７７】
厚さ特定部２８１は、記録媒体投入部２１０の厚さセンサから供給される信号に基づき、当該投入された情報記録媒体３０の厚さを特定するとともに、当該特定した厚さと、記録媒体管理ＤＢ２４１に記録された情報記録媒体３０のトータル厚さと、を比較することによって、加工対象の情報記録媒体３０の種別を特定し、当該情報記録媒体３０の記録媒体ＩＤをＲＯＭ／ＲＡＭ２６０に記録させる。
【００７８】
印刷領域特定部２８２は、記録媒体投入部２１０のイメージスキャナによる読み込みイメージに基づき、台紙Ａ３ｃ上における文字３２やバーコードが表示形成されている情報印刷領域ＰＡを特定する。なお、情報印刷領域ＰＡの特定方法は、任意であり、例えば、読み取りイメージを二値化して、黒の領域を情報印刷領域ＰＡに特定するようにしてもよい。
【００７９】
加工領域特定部２８３は、少なくとも印刷領域を含む領域に加工領域（すなわち、切り込み領域）を設定する。特に、加工領域特定部２８３は、第１領域３３を一体的に形成する際に支持部（後述する支持部ＳＡ）となる部位として、台紙Ａ３ｃにおける２辺から、所定距離分（例えば、５ｍｍ）の領域を加工領域から除外し、支持部ＳＡにスリット線の切り込みがなされることを防止する構成になっている。
【００８０】
そして、加工領域特定部２８３は、決定した加工領域を示す情報を記録媒体加工部２２０に供給し、記録媒体加工部２２０における加工範囲を制御する。
【００８１】
加工態様決定部２８４は、管理用端末装置４０から供給された加工指示に基づき、加工態様を決定し、当該決定した加工態様に対応する利用刃及び切り込み方法を加工態様管理ＤＢ２４２から読み出して、記録媒体加工部２２０に供給する。そして、加工態様決定部２８４は、記録媒体加工部２２０に当該利用刃を用いて、当該切り込み方法による加工を実行させる。
【００８２】
また、決定された加工態様がＣｕｔＡ及びＣｕｔＢである場合に、加工態様決定部２８４は、管理用端末装置４０から供給されたフォントに関する情報に基づきスリット線の間隔を設定し、記録媒体加工部２２０に当該間隔にてスリット状の切り込み加工を施させる構成になっている。
【００８３】
切り込み量設定部２８５は、ＲＯＭ／ＲＡＭ２６０に記録された記録媒体ＩＤに基づき、記録媒体管理ＤＢ２４１から、対応する切り込み量を読み出し、当該切り込み量を記録媒体加工部２２０に供給することにより、記録媒体加工部２２０における切り込み量を設定する。
【００８４】
［４］加工装置における加工態様
次に、図９〜図１１を参照しつつ、本実施形態の加工装置２０によって情報記録媒体３０が加工される際の加工態様について説明する。
【００８５】
なお、図９は、本実施形態の加工装置２０において実行される第１の加工態様（以下、「ＣｕｔＡ」という。）、及び、第２の加工態様（以下、「ＣｕｔＢ」という。）を示す図であり、図１０は、本実施形態の加工装置２０において実行される第３の加工態様（以下、「ＣｕｔＣ」という。）、及び、第４の加工態様（以下、「ＣｕｔＤ」という。）を示す図である。また、図１１は、本実施形態の加工装置２０において実行される第５の加工態様（以下、「ＣｕｔＥ」という。）及び第６の加工態様（以下、「ＣｕｔＦ」という。）を示す図である。
【００８６】
［４．１］ＣｕｔＡ及びＣｕｔＢ
ＣｕｔＡは、図９（Ａ）に示すように、一本刃又は複数刃の刃物を用いて、情報積層体３１上の情報印刷領域ＰＡ従って設定された加工領域の端から順にスリット線状の切り込みを施す加工態様であり、ＣｕｔＢは、図９（Ｂ）に示すように、１又は複数のＣＯ２レーザーを用いて、加工領域の端から順に、加工領域の全体に渡って、スリット線状の切り込みを施す加工態様である。
【００８７】
また、ＣｕｔＡ及びＣｕｔＢの態様によって切り込み加工が施されると、情報記録媒体３０においては、スリット線状の切り込みにより囲まれる矩形の領域（すなわち、情報積層体３１）には、一つおきに除去領域Ｒ（例えば、第１領域３３）と、残存領域Ｓ（例えば、第２領域３４）と、が形成される。
【００８８】
そして、この除去領域Ｒ（すなわち、第１領域３３）は、支持部ＳＡにより相互に接続されるように切り込まれ、当該除去領域Ｒが一体的に形成される。その一方、残存領域Ｓ（すなわち、第２領域３４）が相互に接続されて形成される。
【００８９】
また、この切り込み加工は、図９（Ａ）及び（Ｂ）に例示するように、スリット線（すなわち、除去領域Ｒを形成するための切り取り線）が情報を構成する文字３２の配列方向に対して、所定の角度θを持つように施すことが望ましい。
【００９０】
このような構成により、情報積層体３１に印刷された情報を構成する文字３２などを斜め方向に分断することができるとともに、除去領域Ｒ及び残存領域Ｓのいずれか一方に残存する文字３２の一部のみでは、情報の内容の判別を困難にすることができるようになっており、情報の秘匿性を向上させることが可能となる。
【００９１】
なお、ＣｕｔＡ及びＣｕｔＢのスリット線の間隔は、情報積層体３１に印刷形成される文字３２のフォント種別及びフォントサイズ等に応じて変更することが望ましく、文字３２を確実に判別不能とする間隔に設定することが必要となるが、本実施形態においては、管理用端末装置４０から供給されるフォントに関する情報に基づき、スリット間隔を自動的に設定する構成となっている。
【００９２】
［４．２］ＣｕｔＣ及びＣｕｔＤ
ＣｕｔＣ及びＣｕｔＤは、図１０（Ａ）及び（Ｂ）に示すように、いずれも平板刃を用いて情報積層体３１の加工領域全面に渡って、一括にて切り込み加工を施すものとなっている。
【００９３】
特に、ＣｕｔＣは、支持部ＳＡを残しつつ、複数のスリット線を一括にて加工することにより、除去領域Ｒと、残存領域Ｓと、を切り分ける加工態様である。
【００９４】
具体的には、ＣｕｔＣにおいては、ＣｕｔＡ及びＢと同様に、スリットによって除去領域Ｒと、残存領域Ｓと、が形成されるとともに、除去領域Ｒは、支持部ＳＡにより相互接続されて形成される。
【００９５】
また、ＣｕｔＣの加工態様においては、平板刃を用いるため、情報積層体３１に応じて設定される加工領域に合わせて、加工範囲の大きさを変えることが難しい。そこで、当該加工態様においては、予め情報積層体３１の全面に渡って加工を施せるように平板刃のサイズが設定されている。
【００９６】
なお、ＣｕｔＣ用の平板刃によって支持部ＳＡをカットしてしまうと、除去領域Ｒを一体的に構成することが難しいので、支持部ＳＡに対応する領域には、スリット用の刃を設けないことが必要となる。
【００９７】
また、ＣｕｔＣについては、平板刃を用いるため、スリット間隔の調整が難しいので、当該ＣｕｔＣの平板刃の形成間隔が最小のフォントサイズに合わせて設定されており、全てのフォントサイズの文字３２を判別不能に分断する構成となっている。
【００９８】
一方、ＣｕｔＤは、楕円パターンの切り込みを情報積層体３１の全面に渡って一括にて施すものとなっており、楕円内が残存領域Ｓになるとともに、楕円以外の領域が、除去領域Ｒになる。
【００９９】
なお、ＣｕｔＤの加工態様においては、平板刃を用いるため、情報積層体３１に応じて設定される加工領域に合わせて、加工範囲の大きさを変えることが難しいため、予め当該情報積層体３１の全面に渡って加工を施せるように平板刃のサイズが設定されている。
【０１００】
また、ＣｕｔＤは、除去領域Ｒと残存領域Ｓの切り分けが容易になるとともに、除去領域Ｒの一体性を向上させ、ユーザが除去領域Ｒの剥離に失敗する可能性を低減させることが可能となる。
【０１０１】
［４．３］ＣｕｔＥ及びＣｕｔＦ
ＣｕｔＥは、図１１（Ａ）に示すように、パンチング刃を用いて、情報積層体３１全体に部分抜き加工（すなわち、除去領域Ｒと残存領域Ｓ）を施す加工態様であり、ＣｕｔＦは、図１１（Ｂ）に示すように、ローラ刃を用いて、情報積層体３１にライン抜き加工を施す加工態様である。
【０１０２】
なお、ＣｕｔＥ及びＣｕｔＦは、ＣｕｔＤと同様に、除去領域Ｒと残存領域Ｓの切り分けが容易になるとともに、除去領域Ｒの一体性を向上させ、ユーザが除去領域Ｒの剥離に失敗する可能性を低減させることが可能となる。
【０１０３】
［５］加工装置の動作
次に、図１２を参照しつつ、本実施形態の加工装置２０の動作について説明する。なお、図１２は、本実施形態の加工装置２０において実行される処理を示すフローチャートである。
【０１０４】
なお、この処理に先立ち、記録媒体投入部２１０に加工対象の情報記録媒体３０が投入された状態であるものとし、加工装置２０に設けられた各ＤＢ２４１及び２４２には、図７及び図８に例示するデータが記録済みの状態になっているものとする。
【０１０５】
まず、管理制御部２７０は、管理用端末装置４０から加工指示を検出すると（ステップＳ１）、記録媒体投入部２１０に、加工対象となる情報記録媒体３０を搬送ベルト等により取り込み、記録媒体加工部２２０へ送出させる。
【０１０６】
このとき、記録媒体投入部２１０の厚さセンサは、情報記録媒体３０の厚さに対応するセンサ信号を厚さ特定部２８１に供給出力するとともに、記録媒体投入部２１０のイメージスキャナによって当該情報記録媒体３０に印刷された情報（画像）のイメージデータを生成し、印刷領域特定部２８２に供給する。
【０１０７】
次いで、厚さ特定部２８１は、記録媒体投入部２１０から供給されるセンサ信号に基づき、情報記録媒体３０の厚さを特定し、記録媒体管理ＤＢ２４１から対応する記録媒体ＩＤを読み出して当該記録媒体ＩＤに特定した厚さの情報をＲＯＭ／ＲＡＭ２６０に記録する（ステップＳ２）。
【０１０８】
次いで、印刷領域特定部２８２は、記録媒体投入部２１０から供給されるイメージデータに基づき、情報記録層３ａ上の情報印刷領域ＰＡを特定し（ステップＳ３）、加工領域特定部２８３は、当該情報印刷領域ＰＡに基づき、加工領域を決定する（ステップＳ４）。
【０１０９】
そして、加工態様決定部２８４は、管理用端末装置４０から供給される加工指示に基づいて、加工態様を決定し、加工態様管理ＤＢ２４２から、当該加工態様にて利用する利用刃及び切り込み方法を読み出して記録媒体加工部２２０における利用刃等を設定する（ステップＳ５）。
【０１１０】
このとき、加工態様管理部２４２は、管理用端末装置４０からの加工指示（例えば、ＣｕｔＡの加工指示）を検出すると、フォントに関する情報に基づき、記録媒体加工部２２０におけるスリットの間隔を適切な値に設定する（ステップＳ５）。
【０１１１】
なお、スリット間隔の設定方法は任意であり、例えば、フォントサイズに応じて、文字３２の中心近辺にスリットが入るように設定してもよい。
【０１１２】
次いで、切り込み量設定部２８５は、ＲＯＭ／ＲＡＭ２６０に記録された記録媒体ＩＤ及び記録媒体管理ＤＢ２４１に記録された情報に基づき、切り込み量を決定し、記録媒体加工部２２０における切り込み量を設定する（ステップＳ６）。
【０１１３】
次いで、管理制御部２７０は、記録媒体加工部２２０において、設定された利用刃、及び、切り込み方法及び切り込み量に基づいて情報記録媒体３０に切り込み加工を施して（ステップＳ７）、本動作を終了させる。
【０１１４】
なお、管理制御部２７０は、情報記録媒体３０における切り込み加工が終了すると、排出ローラを駆動させて記録媒体排出部２３０から当該切り込み加工が終了した情報記録媒体３０が排出される。
【０１１５】
以上説明したように、本実施形態の情報記録媒体作成システム１は、システム管理者が物品Ｏの配送先に関する情報を管理用端末装置４０に入力することにより、ラベルプリンタ１０によって、二次元バーコード及び配送先の情報を情報記録媒体３０に印刷することができる。
【０１１６】
また、印刷済の情報記録媒体３０を加工装置２０の記録媒体投入部２１０に投入して、管理用端末装置４０に加工態様を入力することにより、加工装置２０当該加工態様にて、適切な加工を施すことができる。
【０１１７】
そして、加工装置２０により加工された情報記録媒体３０は、印刷済の情報を分断する形態にて、除去領域Ｒと、残存領域Ｓと、に切り分けられ、情報積層体３１を物品Ｏから剥離する際に、除去領域Ｒのみを一体的に除去することができるので、剥離持におけるユーザの負担を軽減することができるとともに、残存領域Ｓに残る文字３２の一部のみ、又は、除去領域Ｒに残る文字３２の一部のみによっては、情報の内容を判別不能とすることができるので、情報の秘匿性を確保することができる。
【０１１８】
［６］変形例
次に、図１３〜図１６を参照して上記実施形態の変形例について説明する。なお、図１３〜図１６は、それぞれ上記実施形態の変形例１〜変形例４を説明するための図である。
【０１１９】
［６．１］変形例１
上記実施形態においては、台紙Ａ３ｃの上まで（すなわち、情報記録層３ａ及び接着層Ａ３ｂを貫通する）切り込みを入れる場合について説明を行ったが、図１３に示すように、情報記録層３ａのみを貫通する切り込みを入れるようにしてもよい。
【０１２０】
この場合には、図１３（Ｂ）に例示するように、情報記録層３ａのみが除去領域Ｒとして除去されることになる。
【０１２１】
［６．２］変形例２
上記実施形態においては、接着層Ａ３ｂは、均質な材質にて製造されている場合について説明したが、例えば、図１４に示すように、除去領域Ｒの接着力を弱くするとともに残存領域Ｓの接着力を強くした情報記録媒体３０の構成としてもよい。
【０１２２】
この場合には、除去領域Ｒを剥離する際に、残存領域Ｓが除去領域Ｒと一緒に剥離されることを防ぐことができる。また、この場合には、予め、所定の間隔にて、接着力の異なる接着層Ａ３ｂが形成された情報記録媒体３０を製造しておき、この間隔に合わせて、ラベルプリンタ１０により、文字３２を印刷するとともに当該間隔に合わせて、スリット間隔を設定するようにすればよい。
【０１２３】
［６．３］変形例３
上記実施形態においては、印刷済の情報記録媒体３０に対して加工を施す構成としたが、図１５に例示するように、情報記録層３ａの所定部位がスリットなどによって欠損した情報記録媒体３０を用いるとともに、当該情報記録層３ａ及び接着層Ａ３ｂに跨がるように印刷が実行され、情報記録層３ａを全て除去領域Ｒとすることも可能である。
【０１２４】
この場合に、図１５（Ｂ）に示すように、文字３２は、情報記録層３ａと、接着層Ａ３ｂに跨がって印刷されるが、情報記録層３ａ全体を除去することにより、接着層Ａ３ｂに印刷された文字３２の一部のみでは、情報を判別不能とすることができる。
【０１２５】
［６．４］変形例４
上記実施形態においては、加工後の情報記録層３ａに対する保護層を設けない構成を採用したが、図１６に例示するように、加工装置２０内に保護膜形成部を設け、この保護膜形成部にて、メチルメタクリレート、ＰＥＴ、ＰＥ等の透明樹脂を吹きつけ、又は、スピンコーティング等により塗布し、保護層（透明フィルム）を形成するようにしてもよい。
【０１２６】
この場合には、図１６に例示するように、情報記録層３ａ上に透明フィルムが形成され、配送過程において、除去領域Ｒが剥離し、配送先等が判別不能になる事態を有効に防止することができる。
【０１２７】
また、この場合において、変形例２のように接着層Ａ３ｂの接着力を除去領域Ｒと、残存領域Ｓと、の間において異ならせる構成を採用し、透明フィルムの接着力を除去領域Ｒよりにおける接着層Ａ３ｂに対する接着力よりも強く、かつ、残存領域Ｓにおける接着力よりも低くしてもよい。
【０１２８】
さらに、ラベルプリンタ１０において、透明フィルムを形成し、当該形成済の情報記録媒体３０に対して、加工装置２０が、切り込み加工を施すようにしてもよい。なお、例えば、本実施形態の保護膜形成部は、本発明における設置手段に対応する。
【０１２９】
［６．５］変形例５
上記本実施形態において、文字３２に対する切り込みは、一定間隔によって一定長によって形成されているが、長スリット形状と、短スリット形状と、が組み合わさった複合形状であってもよくスリットをジグザク、又は、波形等にすることも可能である。
【０１３０】
［６．６］変形例６
上記実施形態においては、加工装置２０にて、自動で切り込み加工を施す構成を採用したが、ＣｕｔＣ、ＣｕｔＤ、及び、ＣｕｔＥ等の加工形態を実現するための平板刃、又は、ローラ刃を備え、ユーザが手動にて、物品Ｏに切り込み加工を施すようにすることもできる。
【０１３１】
この場合には、刃物の切り込み量をユーザが手動で制御することが難しいので、手動にて設定変更可能なストッパを設け、当該ストッパによって切り込み量を設定することができる。なお、例えば、本変形例のストッパは、本発明における設定手段を構成することになる。
【符号の説明】
【０１３２】
Ｏ…  物品
３ａ…  情報記録層
３ｂ…  接着層Ａ
３ｃ…  台紙Ａ
３ｄ…  接着層Ｂ
３ｅ…  台紙Ｂ
１０…  印刷装置
２０…  加工装置
３０…  情報記録媒体
３１…  情報積層体
３２…  文字
３３…  第１領域
３２…  第２領域
２１０…  記録媒体投入部
２２０…  記録媒体加工部
２３０…  記録媒体排出部
２４０…  記録装置
２４１…  記録媒体管理ＤＢ
２４２…  加工態様管理ＤＢ
２５０…  Ｉ／Ｏインターフェース部
２６０…  ＲＯＭ／ＲＡＭ
２７０…  管理制御部
２８０…  設定処理部
２８１…  厚さ特定部
２８２…  印刷領域特定部
２８３…  加工領域特定部
２８４…  加工態様決定部
２８５…  切込み量設定部
【図１】
2017015992.tif 000003
【図２】
2017015992.tif 000004
【図３】
2017015992.tif 000005
【図４】
2017015992.tif 000006
【図５】
2017015992.tif 000007
【図６】
2017015992.tif 000008
【図７】
2017015992.tif 000009
【図８】
2017015992.tif 000010
【図９】
2017015992.tif 000011
【図１０】
2017015992.tif 000012
【図１１】
2017015992.tif 000013
【図１２】
2017015992.tif 000014
【図１３】
2017015992.tif 000015
【図１４】
2017015992.tif 000016
【図１５】
2017015992.tif 000017
【図１６】
2017015992.tif 000018